(57)【要約】      （修正有）【課題】コンパクトに収納できる伸縮ランタンを提供する。【解決手段】伸縮ランタンは、発光体４を設けた本体部１と、本体部１に接近可能な蓋体２と、本体部１と蓋体２とを連結するテレスコピック状に伸縮自在な透明伸縮体３とを、具備している。本体部１は、中央平面域１２と、中央平面域１２の周囲に上向きに立設される外輪壁８とを、有する皿型に形成されている。本体部１にＬＥＤ６〜８個よりなる発光体４を内接する。蓋体２の内側には、反射体５が付設されている。透明伸縮体３は、短縮状態では同心状を保ちつつ分離する複数の短筒体６…から成る。透明伸縮体３は、その上端（最上位置の短筒体６）を、蓋体２の外輪壁１８の内側に固着し、かつ、下端（最下位置の短筒体６）を、発光体４を包囲状として本体部１に固着している。透明伸縮体３は、複数の短筒体６…が上方から下方に向けて縮径するように順次重ね合わせて連結する。【選択図】図１
0003166975.tif 000002
【実用新案登録請求の範囲】
【請求項１】
発光体（４）を設けた本体部（１）と、該本体部（１）に接近可能な蓋体（２）と、該本体部（１）と蓋体（２）とを連結するテレスコピック状に伸縮自在な透明伸縮体（３）とを、具備し、該透明伸縮体（３）は、短縮状態では同心状を保ちつつ分離する複数の短筒体（６）から成ることを特徴とする伸縮ランタン。
【請求項２】
発光体（４）を設けた本体部（１）と、該本体部（１）に接近可能な蓋体（２）と、該本体部（１）と蓋体（２）とを常時密封状に連結するためのテレスコピック状に伸縮自在な透明弾性体（７）とを、具備することを特徴とする伸縮ランタン。
【請求項３】
上記発光体（４）をＬＥＤとし、かつ、上記蓋体（２）の内側に反射体（５）を付設している請求項１又は２記載の伸縮ランタン。
【考案の詳細な説明】
【技術分野】
【０００１】
本考案は、伸縮ランタンに関する。
【背景技術】
【０００２】
従来、折り畳み可能な携帯型照明器具として、ロウソクの周囲を竹ヒゴで囲って和紙を貼り付けて成膜した小田原提灯や、光源である電球の周囲を蛇腹折りにした透光膜で包囲したランプシェードが提案されている（特許文献１参照）。
【先行技術文献】
【特許文献】
【０００３】
【特許文献１】特開２００８−２５８１２６号公報
【考案の概要】
【考案が解決しようとする課題】
【０００４】
しかし、従来の小田原提灯は、ロウソクの火が和紙や竹ヒゴに着火する虞れがあり、火災を起す危険性が高かった。
また、従来のランプシェードは、電球の電気消費量が大きく非効率であると共に、透光膜が折り畳まれて本体部と蓋体が接近した短縮状態に於て、透光膜の弾発力によって本体部と蓋体が反発し、縮まった状態を保持できないという欠点があった。
【０００５】
そこで、本考案は、コンパクトに収納できる伸縮ランタンを提供することを目的とする。
【課題を解決するための手段】
【０００６】
本考案に係る伸縮ランタンは、発光体を設けた本体部と、該本体部に接近可能な蓋体と、該本体部と蓋体とを連結するテレスコピック状に伸縮自在な透明伸縮体とを、具備し、該透明伸縮体は、短縮状態では同心状を保ちつつ分離する複数の短筒体から成るものである。
【０００７】
また、発光体を設けた本体部と、該本体部に接近可能な蓋体と、該本体部と蓋体とを常時密封状に連結するためのテレスコピック状に伸縮自在な透明弾性体とを、具備するものである。
また、上記発光体をＬＥＤとし、かつ、上記蓋体の内側に反射体を付設しているものである。
【考案の効果】
【０００８】
本考案の伸縮ランタンによれば、本体部と蓋体とを嵌合して固定しなくても、簡単に縮まった状態を保持できる。本体部と蓋体が接近した短縮状態で全体を小さく収納でき、また、短縮状態での強度と剛性も十分に高くできて、収納時の変形やへこみ等を防止できる。
【図面の簡単な説明】
【０００９】
【図１】本考案の実施の一形態を示した断面正面図である。
【図２】本考案の伸縮ランタンの短縮状態を示した断面正面図である。
【図３】本考案の他の実施形態を示した断面正面図である。
【図４】本考案の別の実施形態を示した断面正面図である。
【図５】別の実施形態の伸縮ランタンの短縮状態を示した断面正面図である。
【考案を実施するための形態】
【００１０】
以下、実施の形態を示す図面に基づき本考案を詳説する。
図１は、本考案の伸縮ランタンを使用する時の伸長状態を示した断面図であり、図２は、非使用時の短縮状態を示した断面図である。
本考案の伸縮ランタンは、発光体４を設けた本体部１と、本体部１に接近可能な蓋体２と、本体部１と蓋体２とを連結するテレスコピック状に伸縮自在な透明伸縮体３とを、具備している。
本体部１は、中央平面域１２と、中央平面域１２の周囲に上向きに立設される外輪壁８とを、有する皿型に形成されている。本体部１に内設する発光体４は、豆電球であって良いが、より好ましくは、ＬＥＤとし、複数個（６個〜８個が最適）のＬＥＤを円形に並べて付設するのが望ましい。発光体４は、電源となる電池１０に接続された基板９の上に配設されている。本体部１には、外輪壁８に貫通状に取付けられた有頭ピン１１が付設され、有頭ピン１１の操作によって、発光体４のＯＮ／ＯＦＦを切換可能としている。
【００１１】
蓋体２は、本体部１の上方位置に接近離間自在に設けられ、中央平面域２２と、中央平面域２２の周囲に下向きに立設される外輪壁１８とを、有する皿型に形成されている。
蓋体２の内側には、反射体５が付設されている。反射体５は、複数の環状体１７…から成り、伸縮自在なテレスコピック状に形成されている。反射体５（環状体１７…）は、光を反射する素材を用いれば良く、アルミやステンレス等の金属光沢素材とするのが望ましい。反射体５は、環状体１７…の外周の反射面１４が下方に向けて次第に縮径するように順次重ねて連結され、伸長状態での全体形状が円錐形となる。各環状体１７は、隣接する上下の周縁部１５，１５が抜けないように互いに塞き止め合うように構成されている。反射体５は、弾発部材１３を内設し、自由状態では、弾発部材１３の反発力によって伸長するように弾発付勢されている。反射体５は、その下端２５が、発光体４を避けるように基板９の中央部に当接し、弾発部材１３の弾発付勢に逆らって環状体１７…を同心状に重ねて分離させ、短縮状態に対応するように構成されている。
【００１２】
透明伸縮体３は、短縮状態では同心状を保ちつつ分離する複数の短筒体６…から成る。
透明伸縮体３は、その上端（最上位置の短筒体６）を、蓋体２の外輪壁１８の内側に固着し、かつ、下端（最下位置の短筒体６）を、発光体４を包囲状として本体部１に固着している。透明伸縮体３は、複数の短筒体６…が上方から下方に向けて縮径するように順次重ね合わせて連結され、テレスコピック状（筍筒状）として組み合わせられている。透明伸縮体３は、隣接する短筒体６…どうしが相互に重なり合う周縁部に、テーパー状の重合縁１６，１６を形成し、その重合縁１６…を互いに係合させて、抜けて外れないように構成している。つまり、透明伸縮体３は、本体部１と蓋体２とを接近・離間させることで、短筒体６…が順次重合・引出され、テレスコピック状に伸縮自在となるように構成されている。
なお、本考案に於て、「テレスコピック」とは、筍筒型シリンダ、又は、伸縮式望遠鏡のように、複数の筒体が重なり合って互いに抜けないように組立てられた伸縮自在の径の異なる複数筒構造を言う。また、「透明」とは、有色、又は、擦りガラス状、若しくは、グレー等の半透明を包含するものとし、発光体４から照射された光、及び、反射体５にて反射した光を、透明伸縮体３外部に５０％〜１００％透過する透過性を有することを示している。
【００１３】
図３は、本考案の伸縮ランタンの他の実施形態を示した断面図である。
透明伸縮体３は、隣接する短筒体６…が相互に重なり合う周縁部に、折り返し状の係合縁１９，１９を形成し、透明伸縮体３が伸長状態となった際に、係合縁１９…を互いに係合させて、抜けて外れないように構成している。その他の構成は、既述のとおりである。
【００１４】
次に、本考案の伸縮ランタンの別の実施形態について説明する。
図４と図５に示すように、本考案の伸縮ランタンは、発光体４を設けた本体部１と、本体部１に接近可能な蓋体２と、を備えていることは既に述べたとおりである。本実施形態の伸縮ランタンは、本体部１と蓋体２とを常時密封状に連結するためのテレスコピック状に伸縮自在な透明弾性体７を具備している。
透明弾性体７は、シリコン樹脂やゴム等の弾性材料から成り、伸長状態で、上方から下方に向けて段階的に縮径するように成型されている。透明弾性体７は、その外周面に、複数の段付部２１…を有し、本体部１と蓋体２とを接近させると、段付部２１…が深く折曲り、透明弾性体７の胴体部２０が波形に折り畳まれて上下方向に収縮する（図５参照）ように構成されている。
【００１５】
なお、本考案は、設計変更可能であって、例えば、透明伸縮体３は、テレスコピック状に伸縮自在であれば良く、短筒体６の断面形状を円形乃至楕円形、又は、多角形状とするも自由である。
【００１６】
以上のように、本考案に係る伸縮ランタンは、発光体４を設けた本体部１と、本体部１に接近可能な蓋体２と、本体部１と蓋体２とを連結するテレスコピック状に伸縮自在な透明伸縮体３とを、具備し、透明伸縮体３は、短縮状態では同心状を保ちつつ分離する複数の短筒体６から成るので、本体部１と蓋体２とを嵌合して固定しなくても、簡単に短縮状態を保持できる。本体部１と蓋体２が接近した短縮状態を保持したままでコンパクトに収納できる。
【００１７】
また、発光体４を設けた本体部１と、本体部１に接近可能な蓋体２と、本体部１と蓋体２とを常時密封状に連結するためのテレスコピック状に伸縮自在な透明弾性体７とを、具備するので、本体部１と蓋体２とを嵌合して固定しなくても、簡単に短縮状態を保持できる。本体部１と蓋体２が接近した短縮状態を保持し、かつ、内部空間を密封したままでコンパクトに収納できる。
【００１８】
また、発光体４をＬＥＤとし、かつ、蓋体２の内側に反射体５を付設しているので、効率良く周囲を照らすことができ、電気消費量が小さく済む。よって、電池の寿命が長く、環境に優しい。
【符号の説明】
【００１９】
１  本体部
２  蓋体
３  透明伸縮体
４  発光体
５  反射体
６  短筒体
７  透明弾性体
【図１】
0003166975.tif 000003
【図２】
0003166975.tif 000004
【図３】
0003166975.tif 000005
【図４】
0003166975.tif 000006
【図５】
0003166975.tif 000007